(57)【要約】      （修正有）【課題】極めて容易に金車に装着でき、その後に当該金車へワイヤ又はロープを掛ける際に巻き込み防止具が邪魔にならず、その上、ロープ等がシーブに正確に掛かっているかどうかを外部から確認できる金車の巻き込み防止具を提供する。【解決手段】金車のシーブ１の両側各側面を被う支持枠体４の両側外面に、シーブ１を被う大きさの透明なカバー板体１１を夫々固定し、これらの各カバー板体１１はシーブ１の上下左右幅より大きい上下左右の幅を有して支持枠体４の両側に相対向して設けられ、シーブ１の外方位置であって各カバー板体１１の四隅のカバー板体１１間に、開閉自在な棒体１２を渡して成る。【選択図】図９
0003233879.tif 000002
【実用新案登録請求の範囲】
【請求項１】
金車のシーブの両側各側面を被う支持枠体の両側外面に、前記シーブを被う大きさのカバー板体を夫々固定し、これらの各カバー板体は前記シーブの上下左右幅より大きい上下左右の幅を有して前記支持枠体の両側に相対向して設けられたことを特徴とする、巻き込み防止具付き金車。
【請求項２】
前記シーブの外方位置であって各カバー板体の四隅のカバー板体間に、開閉自在な棒体を渡して成ることを特徴とする、請求項１に記載の巻き込み防止具付き金車。
【請求項３】
前記棒体は一方のカバー板体にその一端をバネにより支持され、当該棒体の他端は他方のカバー板体の四隅に設けた切り欠き溝に嵌合され、当該バネの力に抗する荷重がかかると棒体が折れ曲がって他方のカバー板体から他端が離れて開放箇所が生じる構成としたことを特徴とする、請求項２に記載の金車の巻き込み防止具
【請求項４】
前記２枚のカバー板体が透明又は半透明な部材から構成されていることを特徴とする、請求項１〜３のいずれかに記載の金車の巻き込み防止具。
【考案の詳細な説明】
【技術分野】
【０００１】
この考案は、鉄塔の脚部等に設けた金車にワイヤロープ等を掛けて、当該ワイヤロープを鉄塔に沿って昇降させる際に、作業員の手や腕が金車とワイヤロープとの間に巻き込まれるのを防止する防止具付き金車に関するものである。
【背景技術】
【０００２】
ワイヤロープ等を介して鉄塔等の上部へ工事資材や工具等を引き上げたり下方に下ろしたりする際に鉄塔の脚部等に金車を支持させ、当該金車に前記ワイヤロープ等を通しているが、これらの金車とワイヤロープとの間に作業員の指、手、腕等が巻き込まれる恐れがある。この様な金車とワイヤロープとの間に作業員の手や腕等が巻き込まれないように種々の防止具や装置が開発されている。
【０００３】
特許文献１のものはその一つであり、その中央に車輪を可回転的に支持する一対の支持体と、この車輪に巻き回されたロープと、このロープと上記車輪との間への挟まれ防止具とを備えた滑車装置において、上記挟まれ防止具は、上記支持体間の車輪を包囲するように略Ｕ字状に構成された本体と、この本体の両端から上記車輪に対向するように上記車輪の回転方向に所定長切り込んで形成した溝部と、この溝部を閉塞するよう上記本体の両端に取り外し可能に設けられた閉塞体とを備えた、滑車装置である。
【先行技術文献】
【特許文献】
【０００４】
【特許文献１】特許第３２６４８２３号公報
【考案の開示】
【考案が解決しようとする課題】
【０００５】
上記特許文献１のものは、上記挟まれ防止具を滑車の取り付けるには、滑車の一対の支持体の下部に結合体を渡し、この結合体の上から、上記挟まれ防止具の下部間に取付体を渡してこれを固定して、挟まれ防止具を滑車に支持するもので、この挟まれ防止具の滑車への取り付けに手間がかかる。
【０００６】
この考案は、上記の点に着目し、極めて容易に金車に装着でき、その後に当該金車へワイヤ又はロープを掛ける際に巻き込み防止具が邪魔にならず、その上、ロープ等がシーブに正確に掛かっているかどうかを外部から確認できる金車の巻き込み防止具を提供することを目的としたものである。
【課題を解決するための手段】
【０００７】
請求項１の考案は、金車のシーブの両側各側面を被う支持枠体の両側外面に、前記シーブを被う大きさのカバー板体を夫々固定し、これらの各カバー板体は前記シーブの上下左右幅より大きい上下左右の幅を有して前記支持枠体の両側に相対向して設けられた、巻き込み防止具付き金車とした。
【０００８】
また、請求項２の考案は、前記シーブの外方位置であって各カバー板体の四隅のカバー板体間に、開閉自在な棒体を渡して成る、請求項１に記載の巻き込み防止具付き金車とした。
【０００９】
また、請求項３の考案は、前記棒体は一方のカバー板体にその一端をバネにより支持され、当該棒体の他端は他方のカバー板体の四隅の設けた切り欠き溝に嵌合され、当該バネの力に抗する荷重がかかると棒体が折れ曲がって他方のカバー板体から他端が離れて開放箇所が生じる構成とした、請求項２に記載の金車の巻き込み防止具とした。
【００１０】
また、請求項４の考案は、前記２枚のカバー板体が透明又は半透明な部材から構成されている、請求項１〜３のいずれかに記載の金車の巻き込み防止具とした。
【考案の効果】
【００１１】
請求項１の考案によれば、金車の巻き込み防止具は金車のシーブ側面の上下左右幅より大きいカバー板体により金車の両側が被われているため、金車のシーブにワイヤ又はロープが出入りする箇所がカバー板体に被われており、作業者の手や指等が前記シーブに巻き込まれる恐れがない。また、当該防止具は極めて簡単な構成であり、製造が容易である。
【００１２】
また、請求項２の考案によれば、また、金車のシーブにワイヤ又はロープを掛ける際は、棒体を動かすことにより相対向するカバー板体間に開放箇所が生じ、この開放箇所からワイヤ又はロープを中に入れてシーブに掛けることができる。シーブからワイヤ又はロープを外す際も同様である。
【００１３】
また、請求項３の考案によれば、各棒体はバネの力により相対向するカバー板体間に渡して当該カバー板体の間を塞いでいるため、バネの力に抗して棒体に力がかかれば容易に折れ曲がり、棒体も先端が他方のカバー板体から離れて当該箇所に開放部が生じる。従って、作業者は容易にワイヤ又はロープをシーブに掛けたり、外したりすることが出来る。
【００１４】
また、請求項４の考案によれば、各カバー板体が透明又は半透明であるため、ワイヤ又はロープがシーブに正しく掛かった状態を外部から確認でき、作業がスムーズに行える。
【図面の簡単な説明】
【００１５】
【図１】この考案の実施の形態例１の巻き込み防止具付き金車の正面図である。
【図２】この考案の実施の形態例１の巻き込み防止具付き金車の拡大側面図である。
【図３】この考案の実施の形態例１の巻き込み防止具付き金車の使用状態を示す正面図である。
【図４】この考案の実施の形態例１の巻き込み防止具付き金車を逆さまにした使用状態を示す正面図である。
【図５】この考案の実施の形態例２の巻き込み防止具付き金車の正面図である。
【図６】この考案の実施の形態例２の巻き込み防止具付き金車の拡大側面図である。
【図７】この考案の実施の形態例２の巻き込み防止具付き金車のカバー板体の端部の縦断面図である。
【図８】この考案の実施の形態例２の巻き込み防止具付き金車のカバー板体の端部の棒体を解放状態にした縦断面図である。
【図９】この考案の実施の形態例２の巻き込み防止具付き金車の使用状態を示す斜視図である。
【図１０】この考案の実施の形態例２の巻き込み防止具付き金車のカバー板体の端部の棒体の変形例を示す縦断面図である。
【図１１】この考案の実施の形態例２の巻き込み防止具付き金車のカバー板体の端部の棒体の変形例における解放状態を示す縦断面図である。
【図１２】この考案の実施の形態例３の巻き込み防止具付き金車の正面図である。
【図１３】この考案を装着する金車の正面図である。
【考案を実施するための形態】
【００１６】
（実施の形態例１）
この考案の実施の形態例１の巻き込み防止具付き金車Ａを図１〜図４に基づいて説明する。
【００１７】
この巻き込み防止具付き金車Ａの基となる金車Ｅは、図１３に示すように、シーブ１の軸２を支持する枠板３、３をシーブ１の両側面を被うように設け、これらの枠板３、３の外側面中央に、各枠板３の上下に達する支持枠体４、４を設け、これらの支持枠体の上端間から支持フック５が突出している。また、前記支持枠体４、４の下端部から、アイボルトから成る補助フック６が取り付けられている。
【００１８】
また、上記支持枠体４の一側上部には、蝶番７を介して扉部８が形成されており、この扉部８を開けて、ワイヤ又はロープ９をシーブ１に掛けるものである。
【００１９】
この金車Ｅの両側の支持枠体４、４の各外面に四辺形のカバー板体１１、１１が夫々固定されている。また、前記支持枠体４の蝶番７箇所は、一側のカバー板体１１に切り欠き１１ａが設けられ、外部に露出している。従って、前記扉部８は開閉できる構成となっている。
【００２０】
この各カバー板体１１の四辺は前記金車Ｅのシーブ１の上下、左右より夫々外方まで伸びており、前記金車Ｂのシーブ１にワイヤ又はロープ９を掛ける箇所は、図３に示すように、その両側がカバー板体１１、１１で被われている。また、当該巻き込み防止具付き金車Ａは支持フック５に支持ロープ１０を掛け、この状態で前記シーブ１に掛けたワイヤ又はロープ９を動かして使用する。
【００２１】
また、当該巻き込み防止具付き金車Ａの使用方法としては、図４に示すように、鉄塔の脚部１５に支持ロープ１０を介して支持フック５を支持させ、ワイヤ又はロープ９をシーブ１に掛けて鉄塔の上下方向に昇降させる場合もある。その場合は補助フック６に支線１６を掛けて金車Ａを逆さまに維持させる。
【００２２】
いずれの場合も、相対向するカバー板体１１、１１が存在しているため、作業中に前記シーブ１とワイヤ又はロープ９との交差部に作業者の手や指等が入り込む恐れがない。
【００２３】
（実施の形態例２）
次に、この考案の実施の形態例２の巻き込み防止具付き金車Ｂを図５〜図９に基づいて説明する。
【００２４】
この巻き込み防止具付き金車Ｂは、前記巻き込み防止具付き金車Ａの各カバー板体１１の四隅であって、相対向するカバー板体１１、１１間に４個の棒体１２が設けられている。
【００２５】
これらの各棒体１２は、図７に示すように、一端が一方のカバー板体１１にバネにより固定され、他端が他方のカバー板体１１の四隅に夫々設けられた切り欠き溝１３に嵌合して、相対向するカバー板体１１、１１の間に渡されている。
【００２６】
そして、各棒体１２はバネの力に抗して図８に示すように折り曲げることができ、この折り曲げにより他方のカバー板体１１から棒体１２の他端が離れ、開放箇所が形成される。従って、この巻き込み防止具付き金車Ｂのシーブ１にワイヤ又はロープ９を掛ける際は、前記棒体１２を折り曲げて、開放箇所を設けてカバー板体１１の間に入れ、ワイヤ又はロープ９をシーブ１に掛けることができる。
【００２７】
この様にして、図９に示すように、支持ロープ１０をフック５に掛けて当該巻き込み防止具付き金車Ｂを吊るし、ワイヤ又はロープ９をシーブ１に掛けて使用するが、相対向して設けたカバー板体１１、１１にシーブ１の外周縁箇所が被われ、シーブ１とワイヤ又はロープ９の交差部が外部に露出していないため、作業者の手や指、その他の箇所がシーブ１に巻き込まれる恐れがない。
【００２８】
また、上記各棒体１２は、図１０〜図１１に示すように、ボルト１２ａ及びナット１２ｂから構成されたものでもよい。この場合、前記各カバー板体１１の四隅に小孔１４を相対向して設け、一方のカバー板体１１の小孔１４からボルト１２ａを通して、当該ボルト１２ａにナット１２ｂを螺着し、ボルト１２ａの先端を他方のカバー板体１１の小孔１４に嵌め、前記ナット１２ｂを締め付けることにより、ボルト頭体１２ｃとナット１２ｂとでカバー板体１１を挟持し、ボルト１２ａを固定するものである。
【００２９】
これにより棒体１２であるボルト１２ａは相対向するカバー板体１１間に渡される。このボルト１２ａを開放するには、図１１に示すように、前記ナット１２ｂを緩め、ボルト１２ａをボルト頭体１２ｃ側に引っ張り、他方のカバー板体１１との間に開放部を設けることができる。
【００３０】
（実施の形態例３）
次に、この考案の実施の形態例３の巻き込み防止具付き金車Ｃを図１２に基づいて説明する。
【００３１】
この巻き込み防止具付き金車Ｃは実施の形態例２の巻き込み防止具付き金車Ｂとほぼ同じであるが、相対向するカバー板体１１、１１が夫々透明な部材でできている。他の構成は同じである。
【００３２】
この巻き込み防止具付き金車Ｃでは、カバー板体１１に金車の両側面が被われているにも関わらず、外部からシーブ１にワイヤ又はロープ９は掛かった状態が視認でき、作業をスムーズに行うことができる。なお、各カバー板体１１は半透明であっても良い。
【００３３】
この巻き込み防止具付き金車Ｂ、Ｃは支持ロープにより上から吊り下げて使用するものに限るものではなく、図示は省略したが、巻き込み防止具付き金車Ａと同様に、この巻き込み防止具付き金車Ｂ、Ｃを逆さまにして下から支持ロープで支持して使用する際も、当該金車は巻き込み防止効果を有する。
【００３４】
なお、上記実施の形態例ではカバー板体１１は四辺形としたが、四辺形に限らず、多角形、円形でも良い。また、このカバー板体１１は金車の支持枠の外面に設けるもの出ればよく、金車のシーブの軸を指示する支持板又は支持枠体等の外面に限るものではない。
【００３５】
また、上記実施の形態例では棒体１２は一端がバネで一方のカバー板体１１に固定したものであるが、図１０及び図１１のボルト１２ａでもよく、開閉自在な棒体であれば、他の構成のものでも良い。
【符号の説明】
【００３６】
Ａ        巻き込み防止具付き金車
Ｂ        巻き込み防止具付き金車
Ｃ        巻き込み防止具付き金車
Ｄ        金車
１        シーブ                    ２      軸
３        枠板                      ４      支持枠体
５        支持フック                ６      補助フック
７        蝶番                      ８      扉部
９        ワイヤ又はロープ          １０    支持ロープ
１１      カバー板体                １１ａ  切り欠き
１２      棒体                      １２ａ  ボルト
１２ｂ    ナット                    １２ｃ  ボルト頭体
１３      切り欠き溝                １４    小孔
１５      脚部                      １６    支線
【図１】
0003233879.tif 000003
【図２】
0003233879.tif 000004
【図３】
0003233879.tif 000005
【図４】
0003233879.tif 000006
【図５】
0003233879.tif 000007
【図６】
0003233879.tif 000008
【図７】
0003233879.tif 000009
【図８】
0003233879.tif 000010
【図９】
0003233879.tif 000011
【図１０】
0003233879.tif 000012
【図１１】
0003233879.tif 000013
【図１２】
0003233879.tif 000014
【図１３】
0003233879.tif 000015